(57)【要約】【課題】本発明はセキュリティ装置に関し、セキュリティワイヤーに付加価値をつけたセキュリティ装置を提供することを目的としている。【解決手段】情報処理機器１０と、該情報処理機器１０のセキュリティワイヤー２とで構成され、前記セキュリティワイヤー２の一端はアースに接続固定され、他端は前記情報処理機器１０のＦＧに接続されて構成される。この結果、情報処理機器のＦＧはアースに確実に落とされ、漏電による感電防止と対ＥＳＤ耐圧の向上、受信感度、送信能力の向上、放熱能力の向上に効果がある。【選択図】図２
2008129929.tif 000002
【特許請求の範囲】
【請求項１】
情報処理機器と、該情報処理機器のセキュリティワイヤーとで構成され、
前記セキュリティワイヤーの一端はアースに接続固定され、他端は前記情報処理機器のＦＧに接続されることを特徴とするセキュリティ装置。
【請求項２】
情報処理機器と、該情報処理機器のセキュリティワイヤーとで構成され、
前記セキュリティワイヤーの一端は固定部に固定され、他端は情報処理機器のアンテナ接続端子に接続されることを特徴とするセキュリティ装置。
【請求項３】
情報処理機器と、該情報処理機器のセキュリティワイヤーとで構成され、
前記セキュリティワイヤーに熱伝導効果を持たせ、その一端は固定部に固定され、他端は放熱ブロックと接続され、該放熱ブロックは前記情報処理機器のヒートブロックに圧着固定されていることを特徴とするセキュリティ装置。
【請求項４】
前記放熱ブロックの表面に放熱用のフィンを設けたことを特徴とする請求項３記載のセキュリティ装置。
【発明の詳細な説明】
【技術分野】
【０００１】
本発明はセキュリティ装置に関し、更に詳しくはセキュリティワイヤーに種々の機能を持たせたセキュリティ装置に関する。
パソコン（ＰＣ）等、情報処理機器には盗難防止のセキュリティ機能としてセキュリティワイヤー取り付け穴が専用に設けられており、本機能により盗難防止を図っている。本発明は、セキュリティワイヤーを用いることにより、情報処理機器で必要とされる耐ＥＳＤ（静電気放電）耐圧の向上、受信感度、送信能力の向上、放熱能力の向上を図ったものである。
【背景技術】
【０００２】
情報処理機器等では、盗難防止のためにセキュリティワイヤーが用いられる。図９はセキュリティワイヤーの説明図である。図において、１は情報処理機器としてのパソコン、２はセキュリティワイヤーである。セキュリティワイヤー２の一端はシリンダ錠３を介してパソコン１と接続され、他端は壁４等の強固な物体に固定部５で固定されている。従って、パソコン１を取り外すには、シリンダ錠３を開けなければならず、通常はシリンダ錠３の暗証番号を知らなければ、パソコン１を取り外すことはできない。
【０００３】
従来のこの種装置としては、機器の電源コード内部にコードがコンセントから外されたことを検出するセンサを備え、そのことにより盗難を防止するようにした装置が知られている（例えば特許文献１参照）。
【特許文献１】特表２００３−５０６８０５号公報（段落００２１〜００２４、図１）
【発明の開示】
【発明が解決しようとする課題】
【０００４】
従来の技術では、情報処理機器セキュリティワイヤーには盗難防止以外の機能が含まれておらず、漏電による感電防止には専用アースを接続するか、又はアース付きのＡＣアダプタを採用する必要があった。また、無線通信能力の向上のためには内蔵のアンテナの他、外付けのアンテナ入出力端子を搭載する必要があった。また、放熱力向上のためにファンの回転数増大や内部放熱部材の性能向上等の別の手段が採られていた。従来の装置では、セキュリティワイヤーはそれ自体の機能しか有しておらず、それぞれの機能向上のためには別の手法が必要とされていた。
【０００５】
本発明はこのような課題に鑑みてなされたものであって、セキュリティワイヤーに付加価値をつけたセキュリティ装置を提供することを目的としている。
【課題を解決するための手段】
【０００６】
（１）請求項１記載の発明は、情報処理機器と、該情報処理機器のセキュリティワイヤーとで構成され、前記セキュリティワイヤーの一端はアースに接続固定され、他端は前記情報処理機器のＦＧに接続されることを特徴とする。
（２）請求項２記載の発明は、情報処理機器と、該情報処理機器のセキュリティワイヤーとで構成され、前記セキュリティワイヤの一端は固定部に固定され、他端は情報処理機器のアンテナ接続端子に接続されることを特徴とする。
（３）請求項３記載の発明は、情報処理機器と、該情報処理機器のセキュリティワイヤーとで構成され、前記セキュリティワイヤーに熱伝導効果を持たせ、その一端は固定部に固定され、他端は放熱ブロックと接続され、該放熱ブロックは前記情報処理機器のヒートブロックに圧着固定されていることを特徴とする。
（４）請求項４記載の発明は、前記放熱ブロックの表面に放熱用のフィンを設けたことを特徴とする。
【発明の効果】
【０００７】
（１）請求項１記載の発明によれば、情報処理機器のＦＧをアースに落とすことで、漏電による感電防止と対ＥＳＤ耐圧向上を図ることができる。
（２）請求項２記載の発明によれば、セキュリティワイヤーをアンテナとして使用して無線の能力を向上させることができる。
（３）請求項３記載の発明によれば、情報処理機器の放熱対策を図ることができる。
（４）請求項４記載の発明によれば、放熱ブロックの表面に放熱用のフィンを設けることで、更なる放熱対策を図ることができる。
【発明を実施するための最良の形態】
【０００８】
以下、図面を参照して本発明の実施の形態を詳細に説明する。図１はパソコンの背面を示す図である。図において、１０はパソコン本体、２０は放熱ブロック、２１，２２は放熱ブロック２０をパソコン本体１０のヒートブロック（図示せず）に圧着させるためのネジ、２３は放熱ブロック２０をパソコン本体１０に固定するためのキー（鍵）である。２はジョイント部（図示せず）を介して放熱ブロック２０と接続されるセキュリティワイヤーである。該セキュリティワイヤー２は熱伝導効果を持たせるために、熱伝導性のよい材料、例えば銅が用いられる。
【０００９】
図２は本発明の一実施の形態を示す断面図である。図１と同一のものは、同一の符号を付して示す。図において、２０はパソコンの背面に取り付けられる放熱ブロックであり、該放熱ブロック２０とセキュリティワイヤー２とはジョイント部（図示せず）で接続されている。３０はパソコンのＣＰＵが搭載され、放熱対策が施されたヒートブロックである。ＣＰＵは非常な高密度チップで構成されているので、動作すると非常な高温になる。そこで、通常は図に示すようなヒートブロックに搭載されるのが通常である。放熱ブロック２０は、ヒートブロック３０と嵌合されるようになっている。放熱ブロック２０とヒートブロック３０としては熱伝導性のよい材料が用いられる。一般的には銅が好ましいが、コストの面でアルミが用いられることが多い。
【００１０】
放熱ブロック２０において、２１，２２はネジで、放熱ブロック２０の両端に設けられている。２３は放熱ブロック２０をヒートブロック３０にロックするためのキーである。２４は放熱ブロック２０の表面に形成された熱伝導ゴムである。
【００１１】
ヒートブロック３０において、３１，３２はネジ穴であり、ネジ２１，２２が回転挿入される。３３はヒートブロック３０に形成された穴部である。該穴部３３は、放熱ブロック２０に取り付けられたキー２３が挿入されるために設けられている。このように構成された装置の動作を説明すれば、以下の通りである。
【００１２】
図２に示す状態で放熱ブロック２０をヒートブロック３０に当接する。この結果、キー２３は穴部３３に挿入される。そして、キー２３のノブ２３ａを横にスライドさせると、放熱ブロック２０はヒートブロック３０にロックされ、外れない状態となる。この状態で、ネジ２１，２２を回すと、ネジ２１，２２はネジ穴３１，３２に回転挿入される。最後に、ネジ２１，２２をきつく締め上げると、放熱ブロック２０はヒートブロック３０に圧着される。
【００１３】
この時、放熱ブロック２０とヒートブロック３０は熱伝導ゴム２４を介して圧着されているので、ヒートブロック３０で発生した熱は、熱伝導ゴム２４を介して放熱ブロック２０に伝導する。放熱ブロック２０に伝導された熱は、セキュリティワイヤー２に伝わり、放熱される。即ち、ヒートブロック３０で発生した熱は、放熱ブロック２０に伝わり、該放熱ブロック２０及びセキュリティワイヤー２で放熱される。このように、この実施の形態によれば、セキュリティワイヤーを本来の機能に加えて、情報処理機器の放熱対策を図ることができる。
【００１４】
図３は放熱ブロックの他の実施の形態を示す斜視図である。図２と同一のものは、同一の符号を付して示す。図において、２０は放熱ブロック、２１，２２はネジ、２３はキーである。２は放熱ブロック２０とジョイント部（図示せず）を介して接続されるセキュリティワイヤーである。２５は放熱ブロック２０の表面に取り付けられた放熱用のフィンである。フィンの材質としては、例えばその表面を黒く塗ったアルミが用いられる。ネジ２，２２及びキー２３のノブ２３ａが取り付けられる部分は削られている。このように構成すれば、図２に示した放熱効果に加えて放熱用のフィンを取り付けることで、放熱面積を飛躍的に広くすることができ、更なる放熱対策を図ることができる。
【００１５】
また、本発明によれば、情報処理機器のＦＧ接続端子に、その一方がアースに接続されたセキュリティワイヤーを接続することができる。このようにすれば、セキュリティワイヤーの本来の機能に加えて情報処理機器のＦＧをアースに強く接続することができ、耐ＥＳＤ性能の向上と漏電時の感電防止を図ることができる。図４はパソコンのＦＧをアースに落とす説明図である。図１と同一のものは、同一の符号を付して示す。図において、１０はパソコン、３０は該パソコン１０のＦＧ部をセキュリティワイヤー２と接続し、かつセキュリティワイヤー２をパソコン１０に固定する固定部である。３１はアース部にセキュリティワイヤー２を固定する固定部である。セキュリティワイヤー２は、本来の機能を維持しつつ、パソコン１０のＦＧをアースに落としている。
【００１６】
また、本発明によれば、情報処理機器が携帯型のノートパソコンであった場合に、アンテナ接続端子にセキュリティワイヤーの一方を接続し、他方を壁等の固定壁に固定するようにすることができる。このようにすれば、セキュリティワイヤーの本来の機能に加えてアンテナとしても用いることができ、無線の能力を向上させることができる。図５はセキュリティワイヤーをアンテナとして用いる場合の説明図である。図４と同一のものは、同一の符号を付して示す。ここでは、パソコン１０としては、バッテリで動作する携帯型パソコンが用いられるものとする。
【００１７】
図において、１０はパソコン、３５はパソコン１０のアンテナ接続端子にセキュリティワイヤー２を固定する固定部である。セキュリティワイヤー２の他端は、壁４０に固定部３６で固定されている。この結果、固定部３５と３６との間に張られたセキュリティワイヤー２は、本来の機能の他に、アンテナとしての機能も果たしている。
【００１８】
図６は本発明のセキュリティワイヤーの構成例を示す図である。図４と同一のものは、同一の符号を付して示す。セキュリティワイヤー２の一端はパソコン（ＰＣ）側に接続されている。セキュリティワイヤー２の他端は図に示すように、固定用ループ４５と電源ラインに分かれて構成されている。４６はセキュリティワイヤー２の一端を構成するＡＣプラグである。このＡＣプラグ４６は３ピン構造となっており、４６ａと４６ｂとが電源用、４６ｃがアース用となっている。このように構成されたセキュリティワイヤー２は、一端はパソコンに固定され、他端は固定用ループ４５で壁等に固定されると共に、ＡＣプラグ４６が電源ソケット（図示せず）に接続されてパソコン１０にパワーを供給する。同時に、パソコン１０のＦＧは、アースピン４６ｃによりアースに落とされることになる。
【００１９】
図７は本発明のセキュリティワイヤーの他の構成例を示す図である。図６と同一のものは、同一の符号を付して示す。この実施の形態例は、セキュリティワイヤー２に支線２ａを出し、この支線２ａでアース端子に接続するようにしたものである。図において、４６は支線２ａの端部に取り付けられた端子、４７は該端子４６をアースに接続するためのネジである。このように構成されたセキュリティワイヤー２で、固定用ループ４５で壁等の個体物に固定し、かつ端子４６をネジ４７でアースにネジ止めする。このように構成すれば、セキュリティワイヤー２を本来の機能に加えてアース線としても利用することができる。
【００２０】
図８は固定用ループの使用例を示す図である。図７に示すセキュリティワイヤー２の使用例を示している。壁４０には止め具４８が取り付けられており、この止め具４８に固定用ループ４５の中にセキュリティワイヤー２をいったんループの中を通してパソコン１０側に接続するようにする。この結果、セキュリティワイヤー２の一端は、止め具４８を介して壁４０に固定されることになる。支線２ａはアースに接続されている。
【００２１】
上述の実施の形態では、情報処理機器としてパソコンを用いた場合を例にとったが、本発明はこれに限るものではなく、各種の情報を処理するその他の情報処理機器に等しく適用することができる。
【００２２】
以上、詳細に説明したように、本発明によれば、セキュリティワイヤーに付加価値をつけたセキュリティ装置を提供することができる。
【図面の簡単な説明】
【００２３】
【図１】パソコンの背面を示す図である。
【図２】本発明の一実施の形態を示す断面図である。
【図３】放熱ブロックの他の実施の形態を示す斜視図である。
【図４】パソコンのＦＧをアースに落とす説明図である。
【図５】セキュリティワイヤーをアンテナとして用いる場合の説明図である。
【図６】本発明のセキュリティワイヤーの構成例を示す図である。
【図７】本発明のセキュリティワイヤーの他の構成例を示す図である。
【図８】固定用ループの使用例を示す図である。
【図９】セキュリティワイヤーの説明図である。
【符号の説明】
【００２４】
２      セキュリティワイヤー
２０    放熱ブロック
２１    ネジ
２２    ネジ
２３    キー
２３ａ  ノブ
２４    熱伝導ゴム
３０    ヒートブロック
３１    ネジ穴
３２    ネジ穴
３３    穴部
【図１】
2008129929.tif 000003
【図２】
2008129929.tif 000004
【図３】
2008129929.tif 000005
【図４】
2008129929.tif 000006
【図５】
2008129929.tif 000007
【図６】
2008129929.tif 000008
【図７】
2008129929.tif 000009
【図８】
2008129929.tif 000010
【図９】
2008129929.tif 000011